(57)【要約】【課題】操作ボタン群の複数の操作ボタンのキートップを互いに近接して並設するとともに、電子機器の小型化、低コスト化及び組立作業性の向上を図る仕組みを提供する。【解決手段】電子機器は、樹脂により一体に成形された操作ボタン群４１の操作ボタン４０２，４０３が背面カバー２の内面側からボタン穴２２２に嵌め込まれて互いに近接して並設される。位置決め部材４５０は、操作ボタン４０２に連結部４４３を介して連結され、背面カバー２に形成された位置決めダボ２２３に位置決め嵌合される位置決め穴４４１を有する。位置決め部材４５１は、操作ボタン４０３に連結部４４４を介して連結されるとともに、連結部４４５を介して位置決め部材４５０に連結され、背面カバー２に形成された位置決めダボ２２４に位置決め嵌合される位置決め穴４４２を有する。そして、位置決めダボ２２３，２２４間の距離は、位置決め穴４４１，４４２間の距離よりも短く設定される。【選択図】図５
2012160365.tif 000002
【特許請求の範囲】
【請求項１】
複数の操作ボタンが連結部を介して一体に連結された操作ボタン群と、前記操作ボタンが内面側から嵌め込まれるボタン穴が貫通して形成されたカバー部材と、を備える電子機器であって、
前記操作ボタン群は、
前記ボタン穴に前記カバー部材の内面側から嵌め込まれる第１の操作ボタンと、
前記ボタン穴に前記カバー部材の内面側から嵌め込まれて、前記第１の操作ボタンに近接して並設される第２の操作ボタンと、
前記第１の操作ボタンに第１の連結部を介して連結され、前記カバー部材に形成された第１の被嵌合部に位置決め嵌合される第１の嵌合部を有する第１の位置決め部材と、
前記第２の操作ボタンに第２の連結部を介して連結されるとともに、弾性変形が可能な第３の連結部を介して前記第１の位置決め部材に連結され、前記カバー部材に形成された第２の被嵌合部に位置決め嵌合される第２の嵌合部を有する第２の位置決め部材と、を備え、
前記第１の被嵌合部と前記第２の被嵌合部との間の距離は、前記第１の嵌合部と前記第２の嵌合部との間の距離よりも短く設定されることを特徴とする電子機器。
【請求項２】
前記第１の被嵌合部と前記第２の被嵌合部とを結ぶ方向と、前記第１の嵌合部と前記第２の嵌合部とを結ぶ方向とは、前記操作ボタン群を前記カバー部材に組み込む前の前記第１の操作ボタン及び前記第２の操作ボタンの各キートップの対向する面の間隔と同一方向とされていることを特徴とする請求項１に記載の電子機器。
【請求項３】
前記第１の被嵌合部と前記第２の被嵌合部との間の距離と、前記第１の嵌合部と前記第２の嵌合部との間の距離との差は、前記操作ボタン群を前記カバー部材に組み込む前の前記第１の操作ボタン及び前記第２の操作ボタンの各キートップの対向する面の間隔の寸法と同一寸法とされていることを特徴とする請求項１又は２に記載の電子機器。
【請求項４】
前記第３の連結部は、他の操作ボタンと直接連結されていないことを特徴とする請求項１乃至３のいずれか一項に記載の電子機器。
【請求項５】
前記操作ボタン群は、樹脂により一体に成形されることを特徴とする請求項１乃至４のいずれか一項に記載の電子機器。
【発明の詳細な説明】
【技術分野】
【０００１】
本発明は、例えば、デジタルカメラ等の電子機器に関する。
【背景技術】
【０００２】
デジタルカメラ等の電子機器では、製造コストや組立作業性の観点から、複数の操作ボタンを連結部を介して連結した操作ボタン群を樹脂等で一体に成形するものが知られている。
【０００３】
このような操作ボタン群として、例えば、操作ボタン間の距離よりも操作ボタン間を連結する連結部の長さを長くして、連結部の弾性変形を介して複数の操作ボタン間の距離を可変にした構造が開示されている（特許文献１）。
【０００４】
しかし、上記特許文献１では、電子機器の外装カバー上の各操作ボタンのキートップの間隔が広くなるため、電子機器の小型化を図る上で妨げとなる。
【０００５】
そこで、２つの操作ボタンを連結部を介して一体に連結した操作ボタン群を複数組用いる技術が提案されている（特許文献２）。この提案では、例えば２組の操作ボタン群を用い、一方の組の操作ボタン群の連結部の上側に、他方の組の操作ボタン群の操作ボタンを配置することで、複数の操作ボタンのキートップが互いに近接して並設されるようにしている。
【先行技術文献】
【特許文献】
【０００６】
【特許文献１】特開平１−１０９６２２号公報
【特許文献２】特開２００９−０４３６３２号公報
【発明の概要】
【発明が解決しようとする課題】
【０００７】
しかし、上記特許文献２では、２つの操作ボタンを連結部を介して一体に連結した操作ボタン群が複数組必要となるため、一組の操作ボタン群を用いる場合に比べて、製造コストが増加し、また、組立作業が面倒になる。
【０００８】
そこで、本発明は、操作ボタン群の複数の操作ボタンのキートップを互いに近接して並設することができるとともに、電子機器の小型化、低コスト化及び組立作業性の向上を図ることができる仕組みを提供することを目的とする。
【課題を解決するための手段】
【０００９】
上記目的を達成するために、本発明の電子機器は、複数の操作ボタンが連結部を介して一体に連結された操作ボタン群と、前記操作ボタンが内面側から嵌め込まれるボタン穴が貫通して形成されたカバー部材と、を備える電子機器であって、前記操作ボタン群は、前記ボタン穴に前記カバー部材の内面側から嵌め込まれる第１の操作ボタンと、前記ボタン穴に前記カバー部材の内面側から嵌め込まれて、前記第１の操作ボタンに近接して並設される第２の操作ボタンと、前記第１の操作ボタンに第１の連結部を介して連結され、前記カバー部材に形成された第１の被嵌合部に位置決め嵌合される第１の嵌合部を有する第１の位置決め部材と、前記第２の操作ボタンに第２の連結部を介して連結されるとともに、弾性変形が可能な第３の連結部を介して前記第１の位置決め部材に連結され、前記カバー部材に形成された第２の被嵌合部に位置決め嵌合される第２の嵌合部を有する第２の位置決め部材と、を備え、前記第１の被嵌合部と前記第２の被嵌合部との間の距離は、前記第１の嵌合部と前記第２の嵌合部との間の距離よりも短く設定されることを特徴とする。
【発明の効果】
【００１０】
本発明によれば、操作ボタン群の複数の操作ボタンのキートップを互いに近接して並設することができるとともに、電子機器の小型化、低コスト化及び組立作業性の向上を図ることができる。
【図面の簡単な説明】
【００１１】
【図１】本発明の電子機器の実施形態の一例であるデジタルカメラの背面カバーユニットを示す図である。
【図２】図１に示す背面カバーユニットの分解斜視図である。
【図３】（ａ）は操作ボタン群を外観面側から見た図、（ｂ）は（ａ）の裏面側から見た図である。
【図４】背面カバーを操作ボタン群の組み込み方向である内面側から見た図である。
【図５】操作ボタン群を背面カバーに組み込んだ状態を示す図である。
【発明を実施するための形態】
【００１２】
以下、本発明の実施形態の一例を図面を参照して説明する。
【００１３】
図１は本発明の電子機器の実施形態の一例であるデジタルカメラの背面カバーユニットを示す図、図２は図１に示す背面カバーユニットの分解斜視図である。
【００１４】
図１に示すように、背面カバーユニット１は、背面カバー２に、表示ユニット３及び操作ボタンユニット４が組み込まれて構成される。
【００１５】
表示ユニット３は、図２に示すように、透明窓３１、液晶デバイス３２、及び保持プレート３３を備える。
【００１６】
液晶デバイス３２は、保持プレート３３に設けられた保持爪３３１，３３２に保持され、保持プレート３３と共に、ビス等により背面カバー２に固定される。また、液晶デバイス３２には、機器本体の制御回路と通信するためのフレキシブル基板３３２が設けられている。透明窓３１は、背面カバー２に形成された開口部２１に嵌め込まれて、不図示の両面テープ等により背面カバー２に固定される。
【００１７】
操作ボタンユニット４は、操作ボタン群４１、フレキシブル基板４２、及び保持プレート４３を備える。
【００１８】
操作ボタン群４１の複数の操作ボタンのキートップ４１１は、操作ボタン群４１を背面カバー２に組み込んだ状態で、背面カバー２に貫通して形成されたボタン穴２２，２２２から表面が露出するようになっている。ここで、背面カバー２は、本発明のカバー部材の一例に相当する。
【００１９】
フレキシブル基板４２には、操作ボタン群４１の各操作ボタンの押し軸に対応する位置にドーム型スイッチ４２１が配置されている。フレキシブル基板４２及び操作ボタン群４１は、背面カバー２と保持プレート４３とで挟まれた状態で保持され、保持プレート４３がビス等により背面カバー２に固定される。
【００２０】
そして、背面カバー２のボタン穴２２，２２２から露出した操作ボタンのキートップ４１１を押し操作すると、その操作をドーム型スイッチ４２１が検知し、検知情報がフレキシブル基板４２に設けられたコネクタ４２２を介して機器本体の制御回路に出力される。
【００２１】
次に、図３を参照して、操作ボタン群４１について詳述する。図３（ａ）は操作ボタン群４１を外観面側から見た図、図３（ｂ）は図３（ａ）の裏面側から見た図である。
【００２２】
図３に示すように、操作ボタン群４１は、複数の操作ボタンが連結部を介して一体に連結された樹脂成形品であり、例えば操作ボタン４０１は、連結部４１２を介して他の操作ボタンに連結されている。
【００２３】
連結部は、その長さに対して幅と厚さが十分小さなリブ状に形成され、操作ボタンの操作ストロークに比べ十分な長さを有して、弾性変形が可能とされている。このため、操作ボタンの押し操作により連結部が変形しても、操作ボタンが元の位置に弾性復帰するになっている。
【００２４】
操作ボタン４０１は、背面カバー２のボタン穴２２に嵌め込まれるキートップ４１１と、キートップ４１１の外周部の全周に沿って設けられたフランジ部４１３とを備える。フランジ部４１３が背面カバー２のボタン穴２２の内周縁に当接することで、キートップ４１１の背面カバー２からの突出量が決定される。また、キートップ４１１の裏面側の略中央部には、操作ボタンの押し操作に、対応するドーム型スイッチ４２１を押し込む押し軸４１４が設けられている。
【００２５】
以上の構造は、操作ボタン群４１の操作ボタン４０２，４０３を除く他の操作ボタンについても同様である。操作ボタン４０２，４０３については、後述するが、キートップ４１１が背面カバー２のボタン穴２２２に嵌め込まれて近接して並設され、互いに対向する面には、フランジ部４１３は設けられていない。
【００２６】
操作ボタン群４１は、固定型と可動型との間に形成されるキャビティに溶融した樹脂を流し込んで一体に成形される。ここで、操作ボタン群４１の各操作ボタンは、単独で押し操作ができるように互いに離れて配置される必要があるため、成形時には、各操作ボタンの間の連結部を除く部分に、型の肉が存在する。
【００２７】
射出成形では、高温で溶融した樹脂を高圧力に保つために、各操作ボタンの間の型の肉には十分な厚みを持たせなければならない。このため、成形時の各操作ボタンの間には、一定以上の間隔が必要となる。従って、背面カバー２上で近接して並設される操作ボタン４０２と操作ボタン４０３との間にも、成形時には、一定以上の間隔４４０が設けられている。
【００２８】
また、操作ボタン群４１には、背面カバー２に組み込んだ際に、背面カバー２に形成された位置決めダボ２２３，２２４（図４参照）に嵌合されることで、背面カバー２上での各操作ボタンの位置を決める位置決め穴４４１，４４２が形成されている。
【００２９】
ここで、位置決め穴４４１は、本発明の第１の嵌合部の一例に相当し、位置決め穴４４２は、本発明の第２の嵌合部の一例に相当する。また、位置決めダボ２２３は、本発明の第１の被嵌合部の一例に相当し、位置決めダボ２２４は、本発明の第２の被嵌合部の一例に相当する。
【００３０】
位置決め穴４４１は、位置決め部材４５０に形成され、位置決め部材４５０は、連結部４４３を介して操作ボタン４０２に連結されている。また、位置決め穴４４２は、位置決め部材４５１に形成され、位置決め部材４５１は、連結部４４４を介して操作ボタン４０３に連結されている。位置決め部材４５１は、連結部４４５を介して位置決め部材４５０に連結されている。
【００３１】
ここで、操作ボタン４０２は、本発明の第１の操作ボタンの一例に相当し、操作ボタン４０３は、本発明の第２の操作ボタンの一例に相当する。また、連結部４４３は、本発明の第１の連結部の一例に相当し、連結部４４４は、本発明の第２の連結部の一例に相当し、連結部４４５は、本発明の第３の連結部の一例に相当する。更に、位置決め部材４５０は、本発明の第１の位置決め部材の一例に相当し、位置決め部材４５１は、本発明の第２の位置決め部材の一例に相当する。
【００３２】
また、位置決め部材４５０，４５１には、それぞれ回転止め穴４４６，４４７が形成されている。更に、位置決め部材４５０，４５１の裏面側には、フレキシブル基板４２に当接することで位置決め部材４５０，４５１の操作ボタンの押し込み方向への移動を規制する突起部４４８，４４９が設けられている。
【００３３】
図４は、背面カバー２を操作ボタン群４１の組み込み方向である内面側から見た図である。
【００３４】
図４に示すように、背面カバー２には、操作ボタン群４１の各操作ボタンに対応するボタン穴２２，２２２が形成されている。上述したように、ボタン穴２２には、操作ボタン４０２，４０３を除く操作ボタン４０１や他の操作ボタンのキートップ４１１が個別に嵌め込まれ、ボタン穴２２２には、操作ボタン４０２，４０３の各キートップ４１１が嵌め込まれて互いに近接して並設される。
【００３５】
また、背面カバー２の内面側には、操作ボタン群４１の位置決め穴４４１，４４２にそれぞれ嵌合する位置決めダボ２２３，２２４、及び回転止め穴４４６，４４７にそれぞれ嵌合する回転止めダボ２２５，２２６が形成されている。
【００３６】
ここで、位置決めダボ２２３と位置決めダボ２２４との間の距離は、位置決め穴４４１と位置決め穴４４２との間の距離よりも短く設定されている。
【００３７】
また、位置決めダボ２２３，２２４を結ぶ方向と、位置決め穴４４１，４４２を結ぶ方向とは、操作ボタン群４１を背面カバー２に組み込む前の操作ボタン４０２，４０３の各キートップ４１１の対向する面の間隔４４０と略同一方向とされている。
【００３８】
更に、位置決めダボ２２３，２２４間の距離と、位置決め穴４４１，４４２間の距離との差は、操作ボタン群４１を背面カバー２に組み込む前の操作ボタン４０２，４０３の各キートップ４１１の対向する面の間隔４４０の寸法と略同一寸法とされている。
【００３９】
図５は、操作ボタン群４１を背面カバー２に組み込んだ状態を示す図である。
【００４０】
図５に示すように、操作ボタン群４１を背面カバー２に組み込む際には、操作ボタン群４１の位置決め穴４４１，４４２、及び回転止め穴４４６，４４７を背面カバー２の位置決めダボ２２３，２２４、及び回転止めダボ２２５，２２６に嵌合する。また、操作ボタン群４１の各操作ボタンのキートップ４１１をボタン穴２２，２２２に嵌め込む。
【００４１】
このとき、上述したように、位置決めダボ２２３と位置決めダボ２２４との間の距離は、位置決め穴４４１と位置決め穴４４２との間の距離よりも短く設定されているため、連結部４４５が変形して組み込まれる。
【００４２】
これにより、位置決め部材４５１に連結された操作ボタン４０３と位置決め部材４５０に連結された操作ボタン４０２とがボタン穴２２２内で接近し、背面カバー２上で操作ボタン４０２，４０３の各キートップ４１１が互いに近接して並設される。
【００４３】
また、背面カバー２の内面側のボタン穴２２２の周囲には、突起部２２７，２２８が操作ボタン４０２，４０３の対向面の両側に位置して設けられている。突起部２２７，２２８は、操作ボタン４０２の操作ボタン４０３側への移動を規制すると共に、操作ボタン４０３の操作ボタン４０２側への移動を規制する。これにより、操作ボタン４０２と操作ボタン４０３の押し操作時に互いのキートップ４１１が干渉して操作性を損なうのを防いでいる。
【００４４】
以上説明したように、本実施形態では、操作ボタン群４１の複数の操作ボタン４０２，４０３のキートップ４１１を互いに近接して並設することができるので、デジタルカメラの小型化、及びキートップの配置に関する意匠上の自由度の向上を図ることができる。
【００４５】
また、本実施形態では、一組の操作ボタン群４１を用いて複数の操作ボタン４０２，４０３のキートップ４１１を互いに近接して並設することができるので、デジタルカメラの低コスト化及び組立作業性の向上を図ることができる。
【００４６】
更に、本実施形態では、操作ボタン群４１の位置決め部材４５０と位置決め部材４５１とを連結する連結部４４５は、他の操作ボタンと直接連結されていない。このため、操作ボタン群４１を背面カバー２に組み込んだ状態での連結部４４５の変形モードを考慮する必要なく操作ボタン群４１の形状を設計することができる。
【００４７】
更に、本実施形態では、操作ボタン群４１の位置決め部材４５０，４５１に形成された回転止め穴４４６，４４７に背面カバー２に形成された回転止めダボ２２５，２２６が嵌合している。このため、連結部４４５の弾性力により位置決め部材４５０，４５１が位置決め穴４４１，４４２を中心に回転して操作ボタン４０２，４０３の位置が変動するのを回避することができる。
【００４８】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００４９】
４  操作ボタンユニット
４１  操作ボタン群
２２３，２２４  位置決めダボ
２２５，２２６  回転止めダボ
４０２，４０３  操作ボタン
４１１  キートップ
４４３，４４４，４４５  連結部
４４１，４４２  位置決め穴
４４６，４４７  回転止め穴
４５０，４５１  位置決め部材
【図１】
2012160365.tif 000003
【図２】
2012160365.tif 000004
【図３】
2012160365.tif 000005
【図４】
2012160365.tif 000006
【図５】
2012160365.tif 000007